【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
複数ページから構成される文書データと、当該文書データのページに対応するサムネイル画像を管理する情報処理装置であって、
ユーザの操作内容によって求められる操作値であって、前記文書データのページごとの操作値をユーザの操作に応じて更新する操作値更新手段と、
前記操作値更新手段によって更新されたページごとの操作値に基づいて、前記文書データのサムネイル画像として表示すべきページを特定する特定手段と、
前記文書データのサムネイル画像を、前記特定手段によって特定されたページのサムネイル画像に変更する変更手段と、
を備えることを特徴とする情報処理装置。
【請求項２】
前記特定手段は、前記操作値更新手段によって操作値が更新される度に、更新されたページごとの操作値に基づいて、前記文書データのサムネイル画像として表示すべきページを特定することを特徴とする請求項１に記載の情報処理装置。
【請求項３】
前記文書データに対して、ワークフローが実行中であるか否か判定するワークフロー判定手段を更に備え、
前記特定手段は、前記ワークフロー判定手段によって前記文書データがワークフロー実行中であると判定された場合には、ワークフロー実行中に当該文書データに対して行われた複数のユーザによるページごとの操作値の累計に基づいて、当該文書データのサムネイル画像として表示すべきページを特定し、前記ワークフロー判定手段によって前記文書データがワークフロー実行中でないと判定された場合には、当該文書データを操作するユーザのページごとの操作値に基づいて、当該文書データのサムネイル画像として表示すべきページを特定することを特徴とする請求項１または２に記載の情報処理装置。
【請求項４】
前記特定手段は、ユーザから指定された複数の前記操作値の優先度に基づいて、前記文書データのサムネイル画像として表示すべきページを特定することを特徴とする請求項１乃至３のいずれか１項に記載の情報処理装置。
【請求項５】
前記特定手段は、前記操作値が最大のページを前記文書データのサムネイル画像として表示すべきページに特定することを特徴とする請求項１乃至４のいずれか１項に記載の情報処理装置。
【請求項６】
前記文書データを表示するウインドウがアクティブか否かを判定するアクティブ判定手段を更に備え、
前記操作値更新手段は、前記アクティブ判定手段でウインドウがアクティブである場合に更新することを特徴とする請求項１乃至５のいずれか１項に記載の情報処理装置。
【請求項７】
前記操作値は、前記文書データを表示したページの閲覧時間、前記文書データを編集したページの編集時間、前記文書データのページのアノテーション数、前記文書データのページに入力された文字列のフォントサイズ、ユーザの最終閲覧ページ、もしくは前記文書データのページの閲覧回数の少なくとも一つを含むことを特徴とする請求項１乃至６のいずれか１項に記載の情報処理装置。
【請求項８】
前記情報処理装置は、前記文書データと、当該文書データのページに対応する前記サムネイル画像を記憶する記憶手段を更に備えることを特徴とする請求項１乃至７のいずれか１項に記載の情報処理装置。
【請求項９】
前記文書データと、当該文書データのページに対応する前記サムネイル画像を記憶する文書管理サーバとは別の筐体で構成されることを特徴とする請求項１乃至７のいずれか１項に記載の情報処理装置。
【請求項１０】
複数ページから構成される文書データと、当該文書データのページに対応するサムネイル画像を管理する情報処理装置の制御方法であって、
前記情報処理装置の操作値更新手段が、ユーザの操作内容によって求められる操作値であって、前記文書データのページごとの操作値をユーザの操作に応じて更新する操作値更新ステップと、
前記情報処理装置の特定手段が、前記操作値更新ステップによって更新されたページごとの操作値に基づいて、前記文書データのサムネイル画像として表示すべきページを特定する特定ステップと、
前記情報処理装置の変更手段が、前記文書データのサムネイル画像を、前記特定ステップによって特定されたページのサムネイル画像に変更する変更ステップと、
を備えることを特徴とする情報処理装置の制御方法。
【請求項１１】
複数ページから構成される文書データと、当該文書データのページに対応するサムネイル画像を管理する情報処理装置の制御方法をコンピュータに実行させるためのコンピュータに読み取り可能なプログラムであって、
前記情報処理装置を、
ユーザの操作内容によって求められる操作値であって、前記文書データのページごとの操作値をユーザの操作に応じて更新する操作値更新手段と、
前記操作値更新手段によって更新されたページごとの操作値に基づいて、前記文書データのサムネイル画像として表示すべきページを特定する特定手段と、
前記文書データのサムネイル画像を、前記特定手段によって特定されたページのサムネイル画像に変更する変更手段
として機能させることを特徴とするプログラム。
【手続補正２】
【補正対象書類名】明細書
【補正対象項目名】発明の名称
【補正方法】変更
【補正の内容】
【発明の名称】情報処理装置、その制御方法及びプログラム
【手続補正３】
【補正対象書類名】明細書
【補正対象項目名】０００１
【補正方法】変更
【補正の内容】
【０００１】
本発明は、複数ページの文書データと該文書データのページに対応するサムネイルを表示可能な情報処理装置、その制御方法及びプログラムに関する。
【手続補正４】
【補正対象書類名】明細書
【補正対象項目名】０００９
【補正方法】変更
【補正の内容】
【０００９】
前述した目的を達成するために、第１の発明は、複数ページから構成される文書データと、当該文書データのページに対応するサムネイル画像を管理する情報処理装置であって、ユーザの操作内容によって求められる操作値であって、前記文書データのページごとの操作値をユーザの操作に応じて更新する操作値更新手段と、前記操作値更新手段によって更新されたページごとの操作値に基づいて、前記文書データのサムネイル画像として表示すべきページを特定する特定手段と、前記文書データのサムネイル画像を、前記特定手段によって特定されたページのサムネイル画像に変更する変更手段と、を備えることを特徴とする情報処理装置である。第１の発明に係る情報処理装置を使用することによって、実際に作業上注目するページのサムネイルを最適なサムネイルとして変更することが可能である。
【手続補正５】
【補正対象書類名】明細書
【補正対象項目名】００１０
【補正方法】変更
【補正の内容】
【００１０】
また、前記特定手段は、前記操作値更新手段によって操作値が更新される度に、更新されたページごとの操作値に基づいて、前記文書データのサムネイル画像として表示すべきページを特定するものが望ましい。これにより、動的に複数ページある文書データの中から最適なページをサムネイルに決定することができる。
【手続補正６】
【補正対象書類名】明細書
【補正対象項目名】００１１
【補正方法】変更
【補正の内容】
【００１１】
また、前記第１の発明は、前記文書データに対して、ワークフローが実行中であるか否か判定するワークフロー判定手段を更に備え、前記特定手段は、前記ワークフロー判定手段によって前記文書データがワークフロー実行中であると判定された場合には、ワークフロー実行中に当該文書データに対して行われた複数のユーザによるページごとの操作値の累計に基づいて、当該文書データのサムネイル画像として表示すべきページを特定し、前記ワークフロー判定手段によって前記文書データがワークフロー実行中でないと判定された場合には、当該文書データを操作するユーザのページごとの操作値に基づいて、当該文書データのサムネイル画像として表示すべきページを特定するものが望ましい。これにより、ワークフロー中の複数のユーザの操作値の累計を基にサムネイルを変更することで、ワークフローの上流の作業者が注目したページをサムネイルとして表示することができる。また、前記特定手段は、前記文書データがワークフロー登録されていない場合、当該文書データを操作しているユーザの操作値に従いページを特定するものが望ましい。

【手続補正７】
【補正対象書類名】明細書
【補正対象項目名】００１２
【補正方法】変更
【補正の内容】
【００１２】
また、前記特定手段は、ユーザから指定された複数の前記操作値の優先度に基づいて、前記文書データのサムネイル画像として表示すべきページを特定するものが望ましい。これにより、ユーザから指定された操作値の優先度に基づいて柔軟にサムネイル画像を特定することが可能となる。
【手続補正８】
【補正対象書類名】明細書
【補正対象項目名】００１３
【補正方法】変更
【補正の内容】
【００１３】
また、前記特定手段は、前記操作値が最大のページを前記文書データのサムネイル画像として表示すべきページに特定するものが望ましい。これにより、最も操作を多く行われたページをサムネイル画像として特定することができる。

【手続補正９】
【補正対象書類名】明細書
【補正対象項目名】００１４
【補正方法】変更
【補正の内容】
【００１４】
また、前記第１の発明は、前記文書データを表示するウインドウがアクティブか否かを判定するアクティブ判定手段を更に備え、前記操作値更新手段は、前記アクティブ判定手段でウインドウがアクティブである場合に更新するものが望ましい。これにより、実際のユーザの操作に応じた操作値を取得することが可能となる。

【手続補正１０】
【補正対象書類名】明細書
【補正対象項目名】００１５
【補正方法】変更
【補正の内容】
【００１５】
また、前記操作値は、前記文書データを表示したページの閲覧時間、前記文書データを編集したページの編集時間、前記文書データのページのアノテーション数、前記文書データのページに入力された文字列のフォントサイズ、ユーザの最終閲覧ページ、もしくは前記文書データのページの閲覧回数の少なくとも一つを含むものが望ましい。これにより、より多く作業を行ったページをサムネイルとすることが可能となる。
【手続補正１１】
【補正対象書類名】明細書
【補正対象項目名】００１６
【補正方法】変更
【補正の内容】
【００１６】
また、前記第１の発明は、前記情報処理装置は、前記文書データと、当該文書データのページに対応する前記サムネイル画像を記憶する記憶手段を更に備えるものであっても良い。また、前記第１の発明は、前記文書データと、当該文書データのページに対応する前記サムネイル画像を記憶する文書管理サーバとは別の筐体で構成されるものであっても良い。
【手続補正１２】
【補正対象書類名】明細書
【補正対象項目名】００１７
【補正方法】変更
【補正の内容】
【００１７】
第２の発明は、複数ページから構成される文書データと、当該文書データのページに対応するサムネイル画像を管理する情報処理装置の制御方法であって、前記情報処理装置の操作値更新手段が、ユーザの操作内容によって求められる操作値であって、前記文書データのページごとの操作値をユーザの操作に応じて更新する操作値更新ステップと、前記情報処理装置の特定手段が、前記操作値更新ステップによって更新されたページごとの操作値に基づいて、前記文書データのサムネイル画像として表示すべきページを特定する特定ステップと、前記情報処理装置の変更手段が、前記文書データのサムネイル画像を、前記特定ステップによって特定されたページのサムネイル画像に変更する変更ステップと、を備えることを特徴とする情報処理装置の制御方法である。第２の発明に係る情報処理装置の処理方法を使用することによって、実際に作業上注目するページのサムネイルを最適なサムネイルに変更することが可能である。

【手続補正１３】
【補正対象書類名】明細書
【補正対象項目名】００１８
【補正方法】変更
【補正の内容】
【００１８】
第３の発明は、複数ページから構成される文書データと、当該文書データのページに対応するサムネイル画像を管理する情報処理装置の制御方法をコンピュータに実行させるためのコンピュータに読み取り可能なプログラムであって、前記情報処理装置を、ユーザの操作内容によって求められる操作値であって、前記文書データのページごとの操作値をユーザの操作に応じて更新する操作値更新手段と、前記操作値更新手段によって更新されたページごとの操作値に基づいて、前記文書データのサムネイル画像として表示すべきページを特定する特定手段と、前記文書データのサムネイル画像を、前記特定手段によって特定されたページのサムネイル画像に変更する変更手段として機能させることを特徴とするプログラムである。第３の発明に係るプログラムを使用することによって、実際に作業上注目するページのサムネイルを最適なサムネイルに変更することが可能である。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】